(57)【要約】  コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
2016051802.tif 000002
【特許請求の範囲】
【請求項１】
コンテンツ受信装置と、サーバと、表示装置と、を備え、
前記コンテンツ受信装置は、
コンテンツを受信する第一受信部と、
前記第一受信部が受信した前記コンテンツを示す情報を含むリストを、前記サーバを経由して前記表示装置に送信するリスト送信部と、
前記第一受信部が受信した前記コンテンツのサムネイルを生成するサムネイル生成部と、
前記サムネイル生成部が生成した前記サムネイルを前記表示装置に送信するサムネイル送信部と、を有し、
前記表示装置は、
前記リスト送信部が送信した前記リストと、前記サムネイル送信部が送信した前記サムネイルと、を受信する第二受信部と、
表示部と、を有し、
前記表示部は、前記第二受信部が受信した前記リストに含まれる前記情報に、前記第二受信部が受信した前記サムネイルのうち当該情報に対応するコンテンツのサムネイルを対応付けた画像、を表示する、
コンテンツ受信システム。
【請求項２】
前記サムネイル生成部は、
前記表示装置からの要求に基づき前記サムネイルを生成し、
前記サムネイル送信部は、
前記要求に基づき前記サムネイルを前記表示装置に送信する、
請求項１に記載のコンテンツ受信システム。
【請求項３】
前記コンテンツ受信装置は、
前記リストに含まれるコンテンツのうち、ユーザにより選択されたコンテンツを特定する情報を前記表示装置から受信したときに、前記表示部が表示することができる形式に、前記選択されたコンテンツをエンコードし、エンコードした後の前記選択されたコンテンツを前記表示装置に送信するコンテンツ送信部、を備える、
請求項１に記載のコンテンツ受信システム。
【請求項４】
前記コンテンツ受信システムは、複数の前記コンテンツ受信装置を備え、
前記表示装置は、
サムネイルの取得要求を複数の前記コンテンツ受信装置のそれぞれに送信する取得要求送信部を備え、
前記第二受信部は、
前記コンテンツ受信装置毎に、順次、前記コンテンツ受信装置の前記サムネイル送信部が送信した前記サムネイルを受信する、
請求項１に記載のコンテンツ受信システム。
【請求項５】
前記表示装置と前記コンテンツ受信装置とは、Ｐ２Ｐ（Ｐｅｅｒ  ｔｏ  Ｐｅｅｒ）型の通信接続を行い、
前記サムネイル送信部は、
前記Ｐ２Ｐ型の通信接続を用いて前記サムネイルを前記表示装置に送信する、
請求項１に記載のコンテンツ受信システム。
【請求項６】
前記サムネイル生成部は、
前記サムネイル生成部が生成した前記サムネイルを記憶するサムネイル記憶部を備え、
前記第一受信部が受信した前記コンテンツのサムネイルを生成する前に、当該サムネイルが前記サムネイル記憶部に記憶されているか否かを判定し、当該サムネイルが前記サムネイル記憶部に記憶されていれば、当該サムネイルを生成せず、前記サムネイル記憶部から当該サムネイルを読み出して用いる、
請求項１に記載のコンテンツ受信システム。
【請求項７】
コンテンツを受信する第一受信部と、
前記第一受信部が受信した前記コンテンツを示す情報を含むリストを、サーバを経由して表示装置に送信するリスト送信部と、
前記第一受信部が受信した前記コンテンツのサムネイルを生成するサムネイル生成部と、
前記サムネイル生成部が生成した前記サムネイルを前記表示装置に送信するサムネイル送信部と、を有する、
コンテンツ受信装置。
【請求項８】
コンテンツ受信装置から送信されるリストおよびサムネイルを受信する第二受信部と、
表示部と、を有し
前記表示部は、前記第二受信部が受信した前記リストに含まれる情報に、前記第二受信部が受信した前記サムネイルのうち当該情報に対応するコンテンツのサムネイルを対応付けた画像、を表示する、
表示装置。
【請求項９】
コンテンツ受信装置と、サーバと、表示装置と、を備えるコンテンツ受信システムの制御方法であって、
前記コンテンツ受信装置が、コンテンツを受信する第一受信ステップと、
前記コンテンツ受信装置が、前記第一受信ステップで受信した前記コンテンツを示す情報を含むリストを、前記サーバを経由して前記表示装置に送信するリスト送信ステップと、
前記コンテンツ受信装置が、前記第一受信ステップで受信した前記コンテンツのサムネイルを生成するサムネイル生成ステップと、
前記コンテンツ受信装置が、前記サムネイル生成ステップで生成した前記サムネイルを前記表示装置に送信するサムネイル送信ステップと、
前記表示装置が、前記リスト送信ステップで送信された前記リストおよび前記サムネイル送信ステップで送信された前記サムネイルを受信する第二受信ステップと、
前記表示装置が、前記第二受信ステップで受信した前記リストに含まれる前記情報に、前記第二受信ステップで受信した前記サムネイルのうち当該情報に対応するコンテンツのサムネイルを対応付けた画像、を表示部に表示する表示ステップと、を含む制御方法。
【請求項１０】
請求項９に記載の制御方法をコンピュータに実行させるためのプログラム。
【発明の詳細な説明】
【技術分野】
【０００１】
本開示は、コンテンツ受信システム、コンテンツ受信装置、表示装置、およびコンテンツ受信システムの制御方法、に関する。
【背景技術】
【０００２】
特許文献１は、放送波または記憶媒体等から映像コンテンツ（以下、単に「コンテンツ」ともいう）を受信または取得するコンテンツ受信装置に関する技術を開示する。【０００３】
非特許文献１は、ＮＡＴ（Ｎｅｔｗｏｒｋ  Ａｄｄｒｅｓｓ  Ｔｒａｎｓｌａｔｉｏｎ）を超えて通信するための技術を開示する。【０００４】
コンテンツ受信装置は、取得したコンテンツをユーザが閲覧するときに、コンテンツの題名等を示す文字等の情報を、ユーザにわかりやすく表示することが望ましい。【０００５】
コンテンツ受信装置では、複数のコンテンツを一覧表示するとき、サムネイルが用いられることがある。サムネイルは、コンテンツの内容を示す静止画または動画を縮小表示したものである。【０００６】
コンテンツ受信装置は、複数のコンテンツをサムネイルを用いて一覧表示するために、コンテンツ受信装置が取得したコンテンツのサムネイルを保存するサーバを用いることがある。サーバは、複数のコンテンツ受信装置から利用される可能性がある。また、複数のコンテンツ受信装置は、それぞれが保有している受信コンテンツが互いに異なる可能性がある。そのような場合、サーバは、複数のコンテンツ受信装置のそれぞれが保有しているコンテンツのサムネイルの全てを保持しなければならず、そのために、比較的大きな記憶容量を有する記憶装置を備える必要がある。また、サーバは、コンテンツ受信装置との間でサムネイルの送受信をするために、比較的大きな通信容量を有する通信回線に接続される必要がある。
【先行技術文献】
【特許文献】
【０００７】
【特許文献１】特開２００９−１５２９２７号公報
【非特許文献】
【０００８】
【非特許文献１】ＳＴＵＮ  −  Ｓｉｍｐｌｅ  Ｔｒａｖｅｒｓａｌ  ｏｆ  Ｕｓｅｒ  Ｄａｔａｇｒａｍ  Ｐｒｏｔｏｃｏｌ  （ＵＤＰ）  Ｔｈｒｏｕｇｈ  Ｎｅｔｗｏｒｋ  Ａｄｄｒｅｓｓ  Ｔｒａｎｓｌａｔｏｒｓ  （ＮＡＴｓ），  ＲＦＣ  ３４８９，２０１２年３月
【発明の概要】
【０００９】
本開示は、サーバが備える記憶装置の記憶容量の増加を抑制し、またサーバを接続する通信回線の通信容量の増大を抑制することができるコンテンツ受信システムを提供する。
【００１０】
本開示におけるコンテンツ受信システムは、コンテンツ受信装置と、サーバと、表示装置と、を備える。コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
【００１１】
本開示におけるコンテンツ受信システムは、サーバが備える記憶装置の記憶容量の増加を抑制し、またサーバを接続する通信回線の通信容量の増大を抑制する、のに有効である。
【図面の簡単な説明】
【００１２】
【図１】図１は、実施の形態１におけるコンテンツ受信システムのシステム構成の一例を模式的に示す図である。
【図２】図２は、実施の形態１におけるコンテンツ受信装置の構成の一例を模式的に示すブロック図である。
【図３】図３は、実施の形態１におけるコンテンツ受信装置のリスト制御部の構成の一例を模式的に示すブロック図である。
【図４】図４は、実施の形態１におけるコンテンツ受信装置のサムネイル制御部の構成の一例を模式的に示すブロック図である。
【図５】図５は、実施の形態１におけるコンテンツ受信装置のコンテンツ制御部の構成の一例を模式的に示すブロック図である。
【図６】図６は、実施の形態１における表示装置の構成の一例を模式的に示すブロック図である。
【図７】図７は、実施の形態１における表示装置のリスト制御部の構成の一例を模式的に示すブロック図である。
【図８】図８は、実施の形態１における表示装置のサムネイル制御部の構成の一例を模式的に示すブロック図である。
【図９】図９は、実施の形態１における表示装置のコンテンツ制御部の構成の一例を模式的に示すブロック図である。
【図１０】図１０は、実施の形態１におけるコンテンツ受信システムで実行される処理の一例を模式的に示すシーケンス図である。
【図１１】図１１は、実施の形態１における表示装置に表示される画像の一例を示す図である。
【図１２】図１２は、実施の形態２におけるコンテンツ受信システムのシステム構成の一例を模式的に示す図である。
【図１３】図１３は、実施の形態２における表示装置においてコンテンツに関する情報を取得する際の処理の一例を示すフローチャートである。
【図１４】図１４は、実施の形態の変形例におけるコンテンツ受信システムのシステム構成の一例を模式的に示す図である。
【発明を実施するための形態】
【００１３】
以下、適宜図面を参照しながら、実施の形態を詳細に説明する。ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために提供されるのであって、これらにより特許請求の範囲に記載の主題を限定することは意図されていない。
【００１５】
また、各図は、模式図であり、必ずしも厳密に図示されたものではない。また、各図において、同じ構成要素については同じ符号を付している。
【００１６】
なお、以下の説明において、コンテンツとは、複数の画像フレームを含む映像コンテンツのことである。コンテンツは、音声を含んでもよいし、含まなくてもよい。
【００１７】
（実施の形態１）
以下、図１〜図１１を用いて、実施の形態１を説明する。
【００１８】
［１−１．構成］
図１は、実施の形態１におけるコンテンツ受信システム１のシステム構成の一例を模式的に示す図である。
【００１９】
図１に示すように、コンテンツ受信システム１は、コンテンツ受信装置１０と、通信装置２０と、サーバ３０と、表示装置４０と、を備える。コンテンツ受信装置１０は、通信装置２０を介してネットワーク５０に接続されており、サーバ３０および表示装置４０は、ネットワーク５０に接続されている。
【００２０】
通信装置２０は、家庭内ＬＡＮ（Ｌｏｃａｌ  Ａｒｅａ  Ｎｅｔｗｏｒｋ）とグローバルネットワークとを相互に接続するための通信装置である。コンテンツ受信装置１０は家庭内ＬＡＮに接続された端末の一例であり、ネットワーク５０はグローバルネットワークの一例である。通信装置２０は、家庭内ＬＡＮに接続された端末とグローバルネットワークに接続された端末とを互いに通信可能に接続するためのアドレス変換機能であるＮＡＴ（Ｎｅｔｗｏｒｋ  Ａｄｄｒｅｓｓ  Ｔｒａｎｓｌａｔｉｏｎ）機能を有する。
【００２１】
一般に、家庭内ＬＡＮではプライベートＩＰ（Ｉｎｔｅｒｎｅｔ  Ｐｒｏｔｏｃｏｌ）アドレス（以下、単に「プライベートアドレス」ともいう）が用いられ、グローバルネットワークではグローバルＩＰアドレス（以下、単に「グローバルアドレス」ともいう）が用いられる。プライベートアドレスを有する装置（例えば、コンテンツ受信装置１０）とグローバルアドレスを有する装置（例えば、サーバ３０、表示装置４０）とは、アドレス体系が互いに異なるので、それぞれの装置が有しているアドレスを用いて直接的に相互通信することはできない。そこで、通信装置２０がプライベートアドレスとグローバルアドレスとを相互に変換することで、家庭内ＬＡＮに接続された装置と、グローバルアドレスを有する装置とは、相互通信が可能となる。
【００２２】
なお、通信装置２０は、上記のアドレス変換を行う際に、通信パケットのペイロード部分に含まれる内容を変更することはない。
【００２３】
通信装置２０は、例えば、ユーザの自宅に設置され、家庭内ＬＡＮと、グローバルネットワーク（または、グローバルネットワークに接続するためのアクセスネットワーク）との境界に配置されるルータ（いわゆるブロードバンドルータ）、である。
【００２４】
コンテンツ受信装置１０は、放送波、または、その他のコンテンツ送信元からコンテンツを受信する受信装置である。コンテンツ受信装置１０は、保有しているコンテンツの一覧（リスト）を示すリスト情報と、保有しているコンテンツのサムネイルとを、ネットワーク５０を介して表示装置４０に送信する。そして、表示装置４０からの要求（コンテンツの取得要求）に応じて、保有しているコンテンツを表示装置４０に送信する。コンテンツ受信装置１０は、通信装置２０のＮＡＴ機能を利用して、ネットワーク５０に接続された各装置と通信を行う。コンテンツ受信装置１０は、例えば、ユーザの自宅に設置されている録画装置またはテレビジョン受像機、等である。
【００２５】
なお、その他のコンテンツ送信元には、例えば、インターネット上のコンテンツ配信サイトが含まれる。すなわち、コンテンツ受信装置１０は、コンテンツ配信サイトからコンテンツを取得してもよい。
【００２６】
サーバ３０は、コンテンツ受信装置１０と表示装置４０との間でやりとりされる情報を中継するためのサーバ装置である。サーバ３０は、コンテンツ受信装置１０が保有する受信コンテンツのリストを保持する。なお、サーバ３０は、情報を中継する中継部（図示せず）を備えていてもよい。サーバ３０は一般に使用されているサーバコンピュータと実質的に同じであるので詳細な説明は省略する。なお、サーバ３０に、ネットワーク接続機能を有する一般的なコンピュータを用いてもよい。
【００２７】
表示装置４０は、コンテンツ受信装置１０が保有する複数のコンテンツのリスト、および、それらのコンテンツのサムネイルを表示することで、ユーザに、コンテンツ受信装置１０が保有するコンテンツの一覧を提示することができる表示端末である。表示装置４０は、例えば、高機能携帯電話端末（スマートフォン）、携帯電話端末、または、ＰＣ（Ｐｅｒｓｏｎａｌ  Ｃｏｍｐｕｔｅｒ）、等の通信端末である。
【００２８】
ネットワーク５０は、通信装置２０（通信装置２０に接続されたコンテンツ受信装置１０）、サーバ３０、および表示装置４０のそれぞれが接続される通信回線である。ネットワーク５０の通信規格はどのようなものであってもよく、例えば、携帯電話通信網、公衆通信網、企業内通信網、家庭内通信網、等を含んで構成されてもよく、上記通信網が複数組み合わされて構成されていてもよい。
【００２９】
まず、コンテンツ受信装置１０について説明する。
【００３０】
図２は、実施の形態１におけるコンテンツ受信装置１０の構成の一例を模式的に示すブロック図である。
【００３１】
図３は、実施の形態１におけるコンテンツ受信装置１０のリスト制御部１３０の構成の一例を模式的に示すブロック図である。
【００３２】
図４は、実施の形態１におけるコンテンツ受信装置１０のサムネイル制御部１４０の構成の一例を模式的に示すブロック図である。
【００３３】
図５は、実施の形態１におけるコンテンツ受信装置１０のコンテンツ制御部１５０の構成の一例を模式的に示すブロック図である。
【００３４】
図２に示すように、コンテンツ受信装置１０は、コンテンツ受信部１１０と、記憶部１２０と、リスト制御部１３０と、サムネイル制御部１４０と、コンテンツ制御部１５０と、通信ＩＦ（Ｉｎｔｅｒｆａｃｅ）１６０と、を備える。
【００３５】
コンテンツ受信部１１０は、放送局が放送する放送波、または、その他のコンテンツ送信元から、コンテンツを受信（または、「取得」ともいう）できるように構成されている。コンテンツ送信元は、コンテンツを提供する機能を有するものであればどのようなものであってもよい。例えば、コンテンツ送信元は、放送波によってコンテンツを放送する放送局であってもよく、また、コンテンツ受信部１１０は、チューナ（図示せず）を用いて放送波を受信し、受信した放送波に含まれるコンテンツを取得するように構成されていてもよい。
【００３６】
また、コンテンツ受信部１１０は、コンテンツが記憶された記録媒体からコンテンツを取得するように構成されていてもよい。記録媒体に記憶されたコンテンツは、コンテンツ受信部１１０が過去に放送波等から取得（録画）したコンテンツであってもよいし、他の装置により取得されたコンテンツであってもよい。
【００３７】
また、例えば、コンテンツ受信部１１０は、インターネット上のコンテンツ配信サイトから、インターネット経由でコンテンツを取得するように構成されていてもよい。
【００３８】
なお、コンテンツ受信部１１０は、第一受信部の一例である。
【００３９】
記憶部１２０は、コンテンツを記憶する記憶装置である。記憶部１２０は、例えばＨＤＤ（Ｈａｒｄ  Ｄｉｓｋ  Ｄｒｉｖｅ）等の大容量記憶装置であるが、半導体記憶素子、または光ディスクや磁気ディスク等の記録媒体を着脱可能に装着できる録画（録音）装置、等であってもよい。記憶部１２０は、適切な形式でエンコード（符号化）された電子データとしてコンテンツを記憶する。コンテンツ受信部１１０で取得されたコンテンツは、記憶部１２０に記憶される。記憶部１２０に記憶されているコンテンツは、過去にコンテンツ受信部１１０が放送波等から取得（録画）したコンテンツであってもよいし、他の装置により取得されたコンテンツであってもよい。
【００４０】
なお、コンテンツ受信装置１０は、記憶部１２０の代わりに、記憶媒体を接続するための接続部（図示せず）を備えていてもよい。その場合、接続部に接続された記憶媒体であって、かつコンテンツを記憶している記憶媒体、が記憶部１２０として使用されてもよい。
【００４１】
リスト制御部１３０は、コンテンツ受信部１１０が取得したコンテンツのリストを、表示装置４０に、通信ＩＦ１６０を介して送信する。以下、リスト制御部１３０について、図３を用いて説明する。
【００４２】
リスト制御部１３０は、リスト要求受信部１３１と、リスト生成部１３２と、リスト送信部１３３と、を備える。
【００４３】
リスト要求受信部１３１は、コンテンツのリストの取得要求を、通信ＩＦ１６０を介して受信する。その取得要求は、表示装置４０が、コンテンツ受信装置１０に保有されるコンテンツのリストを取得するために、表示装置４０のリスト要求送信部４１１（図６、図７参照）からコンテンツ受信装置１０に送信される要求（リクエスト）である。
【００４４】
リスト生成部１３２は、コンテンツ受信部１１０が取得したコンテンツのそれぞれを特定する特定情報（以下、「コンテンツＩＤ」ともいう）を含むリストを生成する。コンテンツＩＤは、コンテンツを一意に識別可能な情報であれば、どのようなものであってもよい。コンテンツＩＤは、例えば、放送局名と、録画開始日時と、録画終了日時と、を含む情報であってもよい。放送局名の代わりに、放送波における周波数帯域であるチャンネルのチャンネル番号であって放送局に対応付けられたチャンネル番号が用いられもよく、あるいは、デジタル放送におけるＮｅｔｗｏｒｋＩＤ、ＴＳ（Ｔｒａｎｓｐｏｒｔ  Ｓｔｒｅａｍ）ＩＤおよびＳｅｒｖｉｃｅＩＤを含む情報が用いられてもよい。さらに、コンテンツＩＤにＥｖｅｎｔＩＤが含まれていてもよい。また、コンテンツ受信装置１０（コンテンツ受信部１１０）が、コンテンツを録画するときに、コンテンツを識別するために独自に生成してコンテンツに付与した識別子がコンテンツＩＤに含まれていてもよい。
【００４５】
リスト生成部１３２は、リスト要求受信部１３１が表示装置４０からコンテンツのリストの取得要求を受信したときに、その取得要求に対応する上記リストを生成してもよく、あるいは、その他のタイミングで上記リストを生成してもよい。例えば、リスト生成部１３２は、コンテンツ受信部１１０が新たなコンテンツを取得したときに、上記リストを生成してもよい。その場合、リスト生成部１３２は、コンテンツ受信部１１０が新たに取得したコンテンツだけを含むリスト（以下、「差分リスト」ともいう）を生成してもよい。また、リスト生成部１３２は、その他の任意のタイミングでリストを生成してもよい。
【００４６】
リスト送信部１３３は、リスト生成部１３２が生成したコンテンツのリストを、表示装置４０に、通信ＩＦ１６０を介して送信する。このとき、リスト送信部１３３は、サーバ３０による中継機能を利用してサーバ３０から表示装置４０にリストが届くように、サーバ３０にリストを送信する。
【００４７】
リスト送信部１３３は、リスト生成部１３２が差分リストを生成した場合には、生成された差分リストを、サーバ３０を介して表示装置４０に送信する。この場合、差分リストを受信した表示装置４０は、それまで保有していたリストに差分リストを付け加えることでリストを更新し、最新のリストを得ることができる。
【００４８】
サムネイル制御部１４０は、コンテンツ受信部１１０が取得したコンテンツのそれぞれのサムネイルを、表示装置４０に、通信ＩＦ１６０を介して送信する。以下、サムネイル制御部１４０について、図４を用いて説明する。
【００４９】
サムネイル制御部１４０は、サムネイル要求受信部１４１と、サムネイル生成部１４２と、サムネイル送信部１４３と、を有する。
【００５０】
サムネイル要求受信部１４１は、表示装置４０のサムネイル要求送信部４２１（図６、図８参照）から送信されてくるサムネイルの取得要求を、通信ＩＦ１６０を介して受信する。サムネイルとは、コンテンツのそれぞれに対応し、コンテンツの内容を縮小表示して示す静止画または動画のことである。１つのサムネイルは１つの電子ファイルに収められている。電子ファイルの形式は、静止画の形式（ｊｐｇ、ｂｍｐ、等）であってもよいし、動画の形式（ｍｐｇ、ａｖｉ、等）であってもよい。動画の形式の電子ファイルの方が、より情報量が多いサムネイルを収めることができる。
【００５１】
なお、サムネイルの取得要求には、静止画のサムネイルの要求であるか、または、動画のサムネイルの要求であるか、に関するユーザ指定が含まれていてもよい。
【００５２】
なお、サムネイルの取得要求には、コンテンツまたは放送局等を特定する特定情報が含まれていてもよい。この場合、サムネイル要求受信部１４１は、特定情報をコンテンツ受信部１１０に通知し、特定情報により特定されるコンテンツのサムネイルがサムネイル生成部１４２で生成されてもよい。
【００５３】
サムネイル生成部１４２は、コンテンツ受信部１１０が取得したコンテンツのサムネイルを生成する。サムネイルの取得要求に動画または静止画のユーザ指定が含まれている場合には、サムネイル生成部１４２は、そのユーザ指定に基づいて動画または静止画のサムネイルを生成する。
【００５４】
なお、サムネイル生成部１４２は、サムネイルの取得要求に特定情報が含まれている場合には、特定情報により特定されるコンテンツのサムネイルを生成してもよい。
【００５５】
なお、サムネイル生成部１４２は、例えば、コンテンツに含まれる複数の画像フレームのうちの一部を抽出し、抽出した画像フレームを用いて動画ファイル形式のサムネイルを生成してもよい。
【００５６】
なお、サムネイル生成部１４２は、サムネイル要求受信部１４１がサムネイルの取得要求を受信したときにサムネイルを生成してもよく、あるいは、その他のタイミングでサムネイルを生成してもよい。例えば、サムネイル生成部１４２は、コンテンツ受信部１１０が新たなコンテンツを取得したときに、新たに取得されたそのコンテンツのサムネイルを生成してもよい。
【００５７】
なお、サムネイル生成部１４２は、コンテンツ受信部１１０からサムネイルを生成するタイミングを通知された場合に、その通知に基づくタイミングでサムネイルを生成してもよい。
【００５８】
なお、サムネイル生成部１４２は、サムネイル生成部１４２が生成したサムネイルを記憶するサムネイル記憶部１４２Ａを有していてもよい。また、記憶部１２０の一部がサムネイル記憶部１４２Ａとして使用されてもよい。サムネイル記憶部１４２Ａを有する場合、サムネイル生成部１４２は、サムネイルを生成する際に、生成しようとするサムネイルがすでにサムネイル記憶部１４２Ａに記憶されているか否かを判定し、記憶されていないと判定した場合にのみサムネイルを生成してもよい。そして、生成しようとするサムネイルがサムネイル記憶部１４２Ａに記憶されている場合には、サムネイル生成部１４２は、記憶されているそのサムネイルを読み出して用いてもよい。
【００５９】
なお、サムネイル生成部１４２は、コンテンツのコピー防止のための標準規格に適合したサムネイルを生成してもよい。標準規格には、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）、および、ＤＴＣＰ＋がある。
【００６０】
サムネイル送信部１４３は、サムネイル生成部１４２が生成したサムネイルを、表示装置４０に通信ＩＦ１６０を介して送信する。
【００６１】
コンテンツ制御部１５０は、コンテンツ受信部１１０が取得したコンテンツを、表示装置４０に通信ＩＦ１６０を介して送信する。以下、コンテンツ制御部１５０について、図５を用いて説明する。
【００６２】
コンテンツ制御部１５０は、コンテンツ要求受信部１５１と、コンテンツ変換部１５２と、コンテンツ送信部１５３と、を有する。
【００６３】
コンテンツ要求受信部１５１は、コンテンツの取得要求を、表示装置４０のコンテンツ要求送信部４３１（図６、図９参照）から通信ＩＦ１６０を介して受信する。コンテンツの取得要求には、取得要求の対象となるコンテンツを特定するコンテンツＩＤが含まれている。また、コンテンツの取得要求には、さらに、画質情報が含まれていてもよい。画質情報とは、表示装置４０が表示可能な画像の品質を示す情報のことであり、数値（例えば、「１」または「２」、等）、または文字列（例えば、「高画質」または「低画質」、等）、またはデータレート（例えば、「１．５Ｍｂｐｓ」または「４００ｋｂｐｓ」等）、等で表現されてもよい。
【００６４】
コンテンツ変換部１５２は、コンテンツ要求受信部１５１が受信したコンテンツの取得要求に応じて、コンテンツ受信部１１０が取得したコンテンツをエンコードする。コンテンツ変換部１５２は、コンテンツの取得要求に画質情報が含まれている場合には、その画質情報に適合するように、コンテンツをエンコードする。
【００６５】
コンテンツ送信部１５３は、コンテンツ変換部１５２でエンコードされたコンテンツを、表示装置４０に通信ＩＦ１６０を介して送信する。
【００６６】
通信ＩＦ１６０は、通信装置２０を介してネットワーク５０と通信するための通信インタフェイスである。また、通信ＩＦ１６０は、表示装置４０の通信ＩＦ４６０（図６参照）と、Ｐ２Ｐ（Ｐｅｅｒ  ｔｏ  Ｐｅｅｒ）通信するための接続（以下、「Ｐ２Ｐ接続」ともいう）ができ、表示装置４０との間でＰ２Ｐ通信を行うことができる。すなわち、通信ＩＦ１６０は、リスト制御部１３０、サムネイル制御部１４０、およびコンテンツ制御部１５０のそれぞれと、表示装置４０とが行う通信を、Ｐ２Ｐ通信で行うことができる。なお、Ｐ２Ｐ通信とは、サーバ−クライアント型の通信とは異なり、サーバ等を介さずに端末同士が直接的に行う通信のことである。Ｐ２Ｐ通信は、通信装置２０（ＮＡＴ）を越えた先に存在する通信相手との間で行う通信であるので、ＮＡＴ越え通信と呼称されることもある。
【００６７】
なお、通信ＩＦ１６０は、サムネイル制御部１４０およびコンテンツ制御部１５０のそれぞれと、表示装置４０とが行う通信を、サーバ３０を介する通信で行ってもよい。なお、サーバ３０を介する通信は、一般に、サーバリレー通信と呼称される。
【００６８】
通信ＩＦ１６０は、ネットワーク５０との通信に適した種類の通信インタフェイスである。そのような種類の通信インタフェイスには、例えば、ＩＥＥＥ８０２．３に適合する有線ＬＡＮ、ＩＥＥＥ８０２．１１に適合する無線ＬＡＮ、等がある。
【００６９】
次に、表示装置４０について説明する。
【００７０】
図６は、実施の形態１における表示装置４０の構成の一例を模式的に示すブロック図である。
【００７１】
図７は、実施の形態１における表示装置４０のリスト制御部４１０の構成の一例を模式的に示すブロック図である。
【００７２】
図８は、実施の形態１における表示装置４０のサムネイル制御部４２０の構成の一例を模式的に示すブロック図である。
【００７３】
図９は、実施の形態１における表示装置４０のコンテンツ制御部４３０の構成の一例を模式的に示すブロック図である。
【００７４】
図６に示すように、表示装置４０は、リスト制御部４１０と、サムネイル制御部４２０と、コンテンツ制御部４３０と、設定部４４０と、表示部４５０と、通信ＩＦ４６０と、を備える。
【００７５】
リスト制御部４１０は、コンテンツ受信装置１０が保有しているコンテンツのリストをコンテンツ受信装置１０またはサーバ３０から取得し、取得したリストが適切な表現形式で表示部４５０に表示されるように表示部４５０を制御する。以下、リスト制御部４１０について、図７を用いて説明する。
【００７６】
リスト制御部４１０は、リスト要求送信部４１１と、リスト取得部４１２と、リスト表示制御部４１３と、を備える。
【００７７】
リスト要求送信部４１１は、コンテンツ受信装置１０が保有しているコンテンツのリストを要求する取得要求を送信する。その取得要求は、リスト要求送信部４１１からサーバ３０へ送信されてもよく、あるいは、リスト要求送信部４１１からコンテンツ受信装置１０のリスト要求受信部１３１（図３参照）へ送信されてもよい。コンテンツのリストの取得要求がリスト要求送信部４１１からサーバ３０へ送信される場合、サーバ３０は、コンテンツ受信装置１０が保有するコンテンツのリストであって、サーバ３０が保有しているリストを、その取得要求に応じて表示装置４０に送信してもよく、あるいは、その取得要求をコンテンツ受信装置１０に転送（送信）してもよい。その取得要求をサーバ３０からコンテンツ受信装置１０に転送する場合、サーバ３０は、その取得要求に応じてコンテンツ受信装置１０から送信されてくる情報を受信して表示装置４０に転送する。
【００７８】
このように、リスト要求送信部４１１からサーバ３０にコンテンツのリストの取得要求が送信される場合、表示装置４０は、サーバ３０との間で通信を行えばよく、コンテンツ受信装置１０と通信を行う必要がない。そのため、表示装置４０は、その取得要求を送信してから、その取得要求に対応したコンテンツのリストを取得するまでの時間を、相対的に短縮することができる。
【００７９】
リスト取得部４１２は、リスト要求送信部４１１から送信されたコンテンツのリストの取得要求に応じてコンテンツ受信装置１０またはサーバ３０から表示装置４０に送信されるリストであって、コンテンツ受信装置１０が保有しているコンテンツのリスト、を取得する。リスト取得部４１２は、第二受信部の一例である。
【００８０】
リスト表示制御部４１３は、リスト取得部４１２が取得した、コンテンツ受信装置１０が保有しているコンテンツのリストを表す画像が、表示部４５０に適切に表示されるように、表示部４５０を制御する。
【００８１】
サムネイル制御部４２０は、コンテンツ受信装置１０が保有しているコンテンツのサムネイルを、コンテンツ受信装置１０から通信ＩＦ４６０を介して受信し、受信したサムネイルが表示部４５０に適切に表示されるようにリスト制御部４１０を制御する。以下、サムネイル制御部４２０について、図８を用いて説明する。
【００８２】
サムネイル制御部４２０は、サムネイル要求送信部４２１と、サムネイル受信部４２２と、サムネイル表示指示部４２３と、を有する。
【００８３】
サムネイル要求送信部４２１は、コンテンツ受信装置１０が保有しているコンテンツのサムネイルをコンテンツ受信装置１０に要求する。すなわち、サムネイル要求送信部４２１は、リスト制御部４１０が取得したリストに含まれるコンテンツＩＤに対応するコンテンツのそれぞれのサムネイルを取得するために、通信ＩＦ４６０を介してコンテンツ受信装置１０のサムネイル要求受信部１４１（図４参照）に、サムネイルの取得要求を送信する。
【００８４】
なお、サムネイル要求送信部４２１がサムネイルの取得要求を送信するタイミングは、いつでもよい。例えば、リスト表示制御部４１３が表示部４５０にコンテンツのリストを表す画像を表示した後に、サムネイル要求送信部４２１がサムネイルの取得要求を送信してもよい。また、この送信のタイミングをリスト表示制御部４１３からサムネイル要求送信部４２１に知らせるために、例えば、リスト表示制御部４１３が、サムネイル要求送信部４２１に対して、サムネイルの取得を行うよう要求する制御信号を送信してもよい。この場合、サムネイル要求送信部４２１は、その制御信号を受信した後に、コンテンツ受信装置１０にサムネイルの取得要求を送信する。
【００８５】
なお、サムネイル要求送信部４２１は、その取得要求の対象であるサムネイルが、そのサムネイルに対応するコンテンツの提供元（例えば、放送局、等）から提供されるか否かを判定してもよい。そして、サムネイル要求送信部４２１は、コンテンツの提供元からサムネイルが提供されると判定した場合に、コンテンツの提供元にサムネイルの取得要求を送信し、その提供元からサムネイルを取得してもよい。また、コンテンツの提供元からサムネイルは提供されないと判定した場合に、コンテンツ受信装置１０にサムネイルの取得要求を送信してもよい。
【００８６】
また、サムネイル要求送信部４２１は、コンテンツのリストを表す画像として表示部４５０に表示中のサムネイルを、定期的に更新してもよい。具体的には、サムネイル要求送信部４２１は、表示部４５０に表示中のサムネイルに関して、新たにサムネイルの取得要求を送信することで、新たなサムネイルを受信し、表示部４５０に表示中のサムネイルを、受信したサムネイルに更新してもよい。また、新たなサムネイルの取得要求の送信を、定期的に（例えば、数秒程度おきに）繰り返してもよい。
【００８７】
なお、サムネイル要求送信部４２１は、サムネイルについての、動画または静止画を指定するユーザ指定を受け付けた場合には、サムネイルの取得要求に、そのユーザ指定を含めてもよい。
【００８８】
サムネイル受信部４２２は、サムネイル要求送信部４２１から送信されたサムネイルの取得要求に応じてコンテンツ受信装置１０から送信されるサムネイル、を受信する。サムネイル受信部４２２は、第二受信部の一例である。
【００８９】
サムネイル表示指示部４２３は、サムネイル受信部４２２が受信したサムネイルの表示に関する制御を、リスト制御部４１０に対して行う。具体的には、サムネイル表示指示部４２３は、サムネイル受信部４２２が受信したサムネイルを、リスト表示制御部４１３が表示部４５０を制御して表示部４５０に表示する画像に含めるように、リスト制御部４１０に指示する。この指示により表示部４５０に表示される画像の例は、図１１を用いて後述する。
【００９０】
なお、サムネイル制御部４２０は、図８に破線で示すように、サムネイル記憶部４２５を備えていてもよい。サムネイル記憶部４２５は、サムネイル受信部４２２が受信したサムネイルを一時的に保持する記憶装置である。サムネイル記憶部４２５は、例えば半導体記憶素子、であるが、ＨＤＤ等であってもよい。サムネイル制御部４２０がサムネイル記憶部４２５を備える場合、サムネイル受信部４２２は、受信したサムネイルをサムネイル記憶部４２５に保存することができる。これにより、サムネイル要求送信部４２１は、サムネイルの取得要求を送信する前に、サムネイル記憶部４２５に保存されているサムネイルを参照し、取得要求の対象であるサムネイルがサムネイル記憶部４２５に保存されているかどうかを確認することができる。
【００９１】
取得要求の対象であるサムネイルがサムネイル記憶部４２５に保存されている場合には、サムネイル要求送信部４２１は、サムネイルの取得要求を送信せず、サムネイル受信部４２２に対して、サムネイル記憶部４２５からそのサムネイルを取得するように指示してもよい。また、取得要求の対象であるサムネイルがサムネイル記憶部４２５に保存されていない場合にのみ、サムネイル要求送信部４２１は、サムネイルの取得要求を送信してもよい。さらに、取得要求の対象であるサムネイルがサムネイル記憶部４２５に保存されていたとしても、そのサムネイルが予め指定された時間より前に保存されたサムネイル（すなわち、古いサムネイル）であれば、サムネイル要求送信部４２１は、新たなサムネイルを取得するために、取得要求の対象であるサムネイルがサムネイル記憶部４２５に保存されていない場合と同様に動作してもよい。
【００９２】
サムネイル制御部４２０をこのように構成することで、サムネイルが送受信される頻度が低減するので、表示装置４０とコンテンツ受信装置１０との間の通信量を低減することができる。
【００９３】
コンテンツ制御部４３０は、コンテンツ受信装置１０が保有しているコンテンツを、コンテンツ受信装置１０から通信ＩＦ４６０を介して受信し、受信したコンテンツが表示部４５０に表示されるように、表示部４５０を制御する。以下、コンテンツ制御部４３０について、図９を用いて説明する。
【００９４】
コンテンツ制御部４３０は、コンテンツ要求送信部４３１と、コンテンツ取得部４３２と、コンテンツ再生部４３３と、を有する。
【００９５】
コンテンツ要求送信部４３１は、コンテンツ受信装置１０が保有しているコンテンツの取得要求をコンテンツ受信装置１０に送信する。コンテンツ要求送信部４３１は、リスト制御部４１０により表示部４５０に表示されたリストに含まれるコンテンツに関するユーザの指定を受け付ける。そして、コンテンツ要求送信部４３１は、通信ＩＦ４６０を介してコンテンツ受信装置１０のコンテンツ要求受信部１５１（図５参照）に、ユーザに指定されたコンテンツの取得要求を送信する。この場合、例えばサムネイル表示指示部４２３からサムネイルの表示に関する制御がリスト制御部４１０に行われた後に、サムネイル表示指示部４２３からコンテンツ要求送信部４３１に、コンテンツの取得要求を送信するタイミングを知らせるための制御信号が送信されてもよい。
【００９６】
なお、コンテンツ要求送信部４３１は、上述した画質情報を含むコンテンツの取得要求を送信してもよい。
【００９７】
コンテンツ取得部４３２は、コンテンツ要求送信部４３１から送信されたコンテンツの取得要求に応じてコンテンツ受信装置１０から送信されてくるコンテンツ、を通信ＩＦ４６０を介して受信する。
【００９８】
コンテンツ再生部４３３は、コンテンツ取得部４３２が受信したコンテンツを再生し、再生された静止画または動画が表示部４５０に適切に表示されるように表示部４５０を制御する。コンテンツ取得部４３２が受信したコンテンツはエンコードされているので、コンテンツ再生部４３３は、そのコンテンツをデコードして再生する。
【００９９】
設定部４４０は、サムネイル制御部４２０またはコンテンツ制御部４３０に、動作に関する設定を行う。具体的には、設定部４４０は、サムネイル制御部４２０に対して、サムネイルの動画または静止画の指定を含む設定を行う。また、設定部４４０は、コンテンツ制御部４３０に対して、コンテンツの指定と、画質情報の指定と、を含む設定を行う。設定部４４０は、例えばそれらの設定および指定に関するユーザ指定を受け付け、受け付けたユーザ指定に基づく情報をサムネイル制御部４２０またはコンテンツ制御部４３０に設定することで、受け付けたユーザ指定を表示装置４０の動作に反映させる。
【０１００】
表示部４５０は、画像を表示する表示パネルである。表示部４５０は、リスト制御部４１０のリスト表示制御部４１３（図７参照）からの制御に基づき、コンテンツのリストを含む画像を表示する。また、表示部４５０は、コンテンツ制御部４３０のコンテンツ再生部４３３（図９参照）からの制御に基づき、コンテンツ再生部４３３で再生されたコンテンツの画像を表示する。
【０１０１】
通信ＩＦ４６０は、ネットワーク５０と通信するための通信インタフェイスである。通信ＩＦ４６０は、通信ＩＦ１６０との間でＮＡＴ越え通信を行う。通信ＩＦ４６０は、ネットワーク５０との通信に適した種類の通信インタフェイスである。そのような種類の通信インタフェイスには、例えば、ＩＥＥＥ８０２．３に適合する有線ＬＡＮ、ＩＥＥＥ８０２．１１に適合する無線ＬＡＮ、等がある。
【０１０２】
通信ＩＦ４６０は、リスト制御部４１０、サムネイル制御部４２０、およびコンテンツ制御部４３０のそれぞれと、コンテンツ受信装置１０とが行う通信を、Ｐ２Ｐ通信で行うことができる。通信ＩＦ４６０は、サムネイル制御部４２０およびコンテンツ制御部４３０のそれぞれと、コンテンツ受信装置１０とが行う通信を、サーバ３０を介する通信で行ってもよい。
【０１０３】
以上のように構成されたコンテンツ受信システム１について、その動作を以下説明する。
【０１０４】
［１−２．動作］
図１０は、実施の形態１におけるコンテンツ受信システム１で実行される処理の一例を模式的に示すシーケンス図である。
【０１０５】
図１０に示すシーケンス図には、コンテンツ受信システム１において、コンテンツ受信装置１０で保有されているコンテンツのリストを表示装置４０が取得し、その後、そのリストに含まれるコンテンツを表示装置４０上で再生するまでの処理の流れが示されている。
【０１０６】
表示装置４０のリスト要求送信部４１１（図７参照）は、サーバ３０にコンテンツのリストの取得要求を送信する（ステップＳ１０１）。
【０１０７】
サーバ３０は、ステップＳ１０１で表示装置４０から送信されてくるコンテンツのリストの取得要求を受信すると、受信したその取得要求を、コンテンツ受信装置１０に転送（送信）する（ステップＳ１０２）。
【０１０８】
コンテンツ受信装置１０は、ステップＳ１０２でサーバ３０から転送されてくるコンテンツのリストの取得要求を受信すると、受信したその取得要求に基づき、コンテンツ受信装置１０が保有するコンテンツのリストをサーバ３０に送信する（ステップＳ１０３）。
【０１０９】
サーバ３０は、ステップＳ１０３でコンテンツ受信装置１０から送信されてくるコンテンツのリストを受信すると、受信したコンテンツのリストを、表示装置４０に送信する（ステップＳ１０４）。
【０１１０】
なお、サーバ３０は、ステップＳ１０１でサーバ３０が受信したコンテンツのリストの取得要求に応じて、サーバ３０が保有するリスト（コンテンツのリスト）を表示装置４０に送信してもよい（ステップＳ１０４）。その場合、ステップＳ１０２およびステップＳ１０３は実行されない。
【０１１１】
表示装置４０のリスト表示制御部４１３（図７参照）は、ステップＳ１０４でサーバ３０から送信されてくるコンテンツのリストを受信すると、受信したコンテンツのリストを表す画像を表示部４５０に表示する（ステップＳ１０５）。
【０１１２】
表示装置４０の通信ＩＦ４６０（図６参照）は、コンテンツ受信装置１０に対してＰ２Ｐ（Ｐｅｅｒ  ｔｏ  Ｐｅｅｒ）接続の要求を行う（ステップＳ１０６）。
【０１１３】
ステップＳ１０６におけるＰ２Ｐ接続の要求に基づき、表示装置４０とコンテンツ受信装置１０との間でＰ２Ｐ接続が確立する（ステップＳ１０７）。
【０１１４】
表示装置４０のサムネイル要求送信部４２１（図８参照）は、コンテンツ受信装置１０に、サムネイルの取得要求を送信する（ステップＳ１０８）。この取得要求は、ステップＳ１０７で接続が確立したＰ２Ｐ通信により行われる。
【０１１５】
コンテンツ受信装置１０のサムネイル生成部１４２（図４参照）は、コンテンツ受信装置１０が保有しているコンテンツのサムネイルを生成する（ステップＳ１０９）。
【０１１６】
コンテンツ受信装置１０のサムネイル送信部１４３（図４参照）は、ステップＳ１０８で受信されたサムネイルの取得要求に基づき、ステップＳ１０９で生成されたサムネイルを表示装置４０に送信する（ステップＳ１１０）。
【０１１７】
表示装置４０のリスト表示制御部４１３（図７参照）は、ステップＳ１０９で取得したサムネイルを、表示部４５０に表示する（ステップＳ１１１）。このとき、表示装置４０は、ステップＳ１０５で表示したコンテンツのリストの中で、コンテンツを示す箇所に、そのコンテンツに対応するサムネイルを表示する。
【０１１８】
表示装置４０の設定部４４０（図６参照）は、ユーザによるコンテンツの選択操作を受け付ける（ステップＳ１２１）。
【０１１９】
例えば、表示部４５０がタッチパネルを備えていれば、ユーザは、表示部４５０に表示されたサムネイルのうちの１つに触れることで、そのサムネイルに対応するコンテンツを選択することができる。あるいは、表示装置４０に備えられたユーザーインターフェース（図示せず、例えば、キー、ボタン、タッチパッド、ポインティングデバイス、等）をユーザが操作してカーソルを移動し、そのカーソルを、表示部４５０に表示されたサムネイルのうちの１つの上に重ねる等して、ユーザの選択操作が行われてもよい。
【０１２０】
表示装置４０のコンテンツ要求送信部４３１（図９参照）は、ステップＳ１２１でユーザにより選択されたコンテンツ（ユーザ指定されたコンテンツ）の取得要求を、コンテンツ受信装置１０に送信する（ステップＳ１２２）。
【０１２１】
コンテンツ受信装置１０のコンテンツ要求受信部１５１（図５参照）は、ステップＳ１２２で表示装置４０から送信されたコンテンツの取得要求を受信し、コンテンツ受信装置１０のコンテンツ送信部１５３（図５参照）は、そのコンテンツの取得要求に対応するコンテンツを、表示装置４０に送信する（ステップＳ１２３）。
【０１２２】
表示装置４０のコンテンツ取得部４３２（図９参照）は、ステップＳ１２３でコンテンツ受信装置１０から送信されたコンテンツを受信して取得し、表示装置４０のコンテンツ再生部４３３（図９参照）は、そのコンテンツを再生して表示部４５０に表示する（ステップＳ１２４）。
【０１２３】
上記の一連の処理により、コンテンツ受信システム１では、コンテンツ受信装置１０が保有しているコンテンツのリストを、表示装置４０が取得して表示部４５０に表示することができる。そして、表示装置４０は、そのリストに含まれるコンテンツのうち、ユーザに指定されたコンテンツをコンテンツ受信装置１０から取得し、取得したコンテンツを再生して表示部４５０に表示することができる。
【０１２４】
すなわち、ユーザは、コンテンツ受信装置１０が保有している複数のコンテンツの中から、ユーザが、表示装置４０の表示部４５０に表示されるサムネイルに基づき指定したコンテンツを、表示装置４０の表示部４５０上で視聴することができる。
【０１２５】
次に、表示装置４０の表示部４５０に表示されるコンテンツのリストについて説明する。
【０１２６】
図１１は、実施の形態１における表示装置４０に表示される画像１１０１の一例を示す図である。画像１１０１は、サムネイルを含むコンテンツのリストである。
【０１２７】
図１１に示すように、画像１１０１は、各コンテンツについて、そのコンテンツの題名等を示す部分１１０２と、そのコンテンツのサムネイルを示す部分１１０３と、を含む。
【０１２８】
部分１１０２には、そのコンテンツの題名が表示され、その他に、コンテンツの放送時刻、再生回数、録画に用いた機器、等の情報が、文字（テキスト）により表示されていてもよい。
【０１２９】
部分１１０３には、そのコンテンツのサムネイルが表示されている。また、部分１１０３は、部分１１０２の隣に表示されている。これは、部分１１０３が、部分１１０２が示すコンテンツのサムネイルであることを視覚的に示すためである。なお、部分１１０３は、必ずしも部分１１０２の隣に表示されなくてもよい。しかし、部分１１０２と部分１１０３とは、互いに関連があることがユーザに認識されやすい表示態様（例えば、部分１１０２と部分１１０３とを線で結ぶ、部分１１０２の文字の色または背景色と部分１１０３の枠の色とを同じ色または同系色の色にする、等）で表示されることが望ましい。
【０１３０】
このように、実施の形態１では、表示装置４０の表示部４５０には、コンテンツ毎に、コンテンツの題名等の文字による表示に加えて、サムネイルの画像が表示される。したがって、表示装置４０上でコンテンツ受信装置１０に記憶されたコンテンツを選択して視聴しようとするユーザは、視覚的に、より容易に、選択対象のコンテンツを確認することができる。
【０１３１】
［１−３．効果］
以上のように、本実施の形態におけるコンテンツ受信システムは、コンテンツ受信装置と、サーバと、表示装置と、を備える。コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
【０１３２】
このコンテンツ受信システムでは、コンテンツ受信装置は、取得したコンテンツのサムネイルを生成した後、生成したサムネイルを、サーバを経由せず、表示装置に直接送信する。
【０１３３】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１３４】
本実施の形態に一例を示したコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１３５】
（実施の形態２）
以下、図１２、図１３を用いて、実施の形態２を説明する。
【０１３６】
実施の形態２では、コンテンツ受信システムが、複数のコンテンツ受信装置を備える構成を説明する。
【０１３７】
なお、以下では、実施の形態１における構成要素または機能ブロックと実質的に同じ構成要素または機能ブロックには、同一の符号を付与し、詳細な説明を省略する。
【０１３８】
［２−１．構成］
図１２は、実施の形態２におけるコンテンツ受信システム２のシステム構成の一例を模式的に示す図である。
【０１３９】
図１２に示すように、コンテンツ受信システム２は、複数のコンテンツ受信装置（コンテンツ受信装置１０、コンテンツ受信装置１１、およびコンテンツ受信装置１５）と、複数の通信装置（通信装置２０、および通信装置２５）と、サーバ３０と、表示装置４１と、を備える。
【０１４０】
なお、コンテンツ受信システム２が備えるコンテンツ受信装置は何ら３台に限定されるものではなく、また、コンテンツ受信システム２が備える通信装置は何ら２台に限定されるものではない。
【０１４１】
図１２に示すサーバ３０は、実施の形態１に示したサーバ３０と実質的に同じであり、図１２に示すコンテンツ受信装置１０、１１、１５は、実施の形態１に示したコンテンツ受信装置１０と実質的に同じであり、図１２に示す通信装置２０、２５は、実施の形態１に示した通信装置２０と実質的に同じであるので、それぞれの詳細な説明は省略する。
【０１４２】
コンテンツ受信装置１０、１１のそれぞれは、通信装置２０に接続され、通信装置２０を介してネットワーク５０に接続されている。コンテンツ受信装置１０、１１のそれぞれは、通信装置２０のＮＡＴ機能を利用して、ネットワーク５０に接続された各装置と通信を行う。
【０１４３】
コンテンツ受信装置１５は、通信装置２５に接続され、通信装置２５を介してネットワーク５０に接続されている。コンテンツ受信装置１５は、通信装置２５のＮＡＴ機能を利用して、ネットワーク５０に接続された各装置と通信を行う。
【０１４４】
表示装置４１は、コンテンツ受信装置１０、１１、１５のそれぞれが保有する複数のコンテンツのリスト、および、それらのコンテンツのサムネイルを表示することで、ユーザに、コンテンツ受信装置１０、１１、１５のそれぞれが保有するコンテンツの一覧を提示することができる表示端末である。このように、図１２に示す表示装置４１は、実施の形態１に示した表示装置４０とは、複数のコンテンツ受信装置からコンテンツに関する情報を取得する点が異なる。しかし、その点を除き、表示装置４１は、実施の形態１に示した表示装置４０と実質的に同じである。
【０１４５】
すなわち、表示装置４１が、複数のコンテンツ受信装置のうちの１つのコンテンツ受信装置からコンテンツに関する情報を取得するときの動作は、実施の形態１で説明した動作と実質的に同じである。したがって、表示装置４１に関する詳細な説明は省略する。
【０１４６】
以上のように構成されたコンテンツ受信システム２について、その動作を以下説明する。
【０１４７】
［２−２．動作］
図１３は、実施の形態２における表示装置４１においてコンテンツに関する情報を取得する際の処理の一例を示すフローチャートである。
【０１４８】
図１３に示すフローチャートは、実施の形態１で図１０に示したステップＳ１０６からステップＳ１１１までの表示装置４０の処理に相当する。
【０１４９】
表示装置４１の通信ＩＦ４６０（図６参照）は、サムネイル要求送信部４２１（図８参照）から、サムネイルの取得先となるコンテンツ受信装置を指定する情報（以下、「装置ＩＤ」ともいう）を受け付ける（ステップＳ２０１）。この指定は、表示装置４１が、コンテンツ受信装置１０、１１、１５のうちのどのコンテンツ受信装置からサムネイルを受信するのか、を指定するものである。
【０１５０】
通信ＩＦ４６０は、コンテンツ受信装置１０、１１、１５のうちのいずれかのコンテンツ受信装置とＰ２Ｐ接続中であるか否かを判定する（ステップＳ２０２）。
【０１５１】
ステップＳ２０２で、Ｐ２Ｐ接続中であると判定された場合（ステップＳ２０２のＹｅｓ）、処理はステップＳ２０３に進み、Ｐ２Ｐ接続中でないと判定された場合（ステップＳ２０２のＮｏ）、処理はステップＳ２２２に進む。
【０１５２】
通信ＩＦ４６０は、Ｐ２Ｐ接続されたコンテンツ受信装置が、ステップＳ２０１で指定されたコンテンツ受信装置であるか否かを判定する（ステップＳ２０３）。
【０１５３】
ステップＳ２０３で、Ｐ２Ｐ接続されたコンテンツ受信装置はステップＳ２０１で指定されたコンテンツ受信装置であると判定された場合（ステップＳ２０３のＹｅｓ）、処理はステップＳ２０４に進む。そうではないと判定された場合（ステップＳ２０３のＮｏ）、通信ＩＦ４６０は、接続中のＰ２Ｐ接続を切断する（ステップＳ２２１）。ステップＳ２２１の後、処理はステップＳ２２２に進む。
【０１５４】
通信ＩＦ４６０は、ステップ２０１で指定されたコンテンツ受信装置とのＰ２Ｐ接続を行う（ステップＳ２２２）。
【０１５５】
通信ＩＦ４６０は、ステップ２２２でのＰ２Ｐ接続が成功したか否かを判定する（ステップＳ２２３）。
【０１５６】
ステップＳ２２３においてＰ２Ｐ接続は成功したと判定された場合（ステップＳ２２３のＹｅｓ）、処理はステップＳ２０４に進む。
【０１５７】
ステップＳ２２３においてＰ２Ｐ接続は成功しなかったと判定された場合（ステップＳ２２３のＮｏ）、通信ＩＦ４６０は、Ｐ２Ｐ接続のリトライ（再試行）を行うか否かを判定する（ステップＳ２２４）。
【０１５８】
ステップＳ２２４においてＰ２Ｐ接続のリトライを行うと判定された場合（ステップＳ２２４のＹｅｓ）、処理はステップＳ２２２に戻り、ステップＳ２２２以降の処理が実行される。
【０１５９】
ステップＳ２２４においてＰ２Ｐ接続のリトライは行わないと判定された場合（ステップＳ２２４のＮｏ）、処理は終了する。
【０１６０】
サムネイル制御部４２０（図６、図８参照）は、サムネイルを取得することを要求されたか否かを判定する（ステップＳ２０４）。なお、ステップＳ２０４の判定は、例えば、サムネイル制御部４２０がサムネイルを取得するための制御信号を受信したか否か、に基づき行われてもよい。
【０１６１】
ステップＳ２０４で、サムネイルの取得を要求されたと判定された場合（ステップＳ２０４のＹｅｓ）、サムネイル制御部４２０（図６、図８参照）は、Ｐ２Ｐ接続されたコンテンツ受信装置（例えば、コンテンツ受信装置１０）からサムネイルを取得する（ステップＳ２０５）。ステップＳ２０４で、サムネイルの取得を要求されていないと判定された場合（ステップＳ２０４のＮｏ）、処理はステップＳ２０６に進む。
【０１６２】
ステップＳ２０５では、サムネイル制御部４２０は、一度のＰ２Ｐ接続の間に、Ｐ２Ｐ接続されたコンテンツ受信装置から、取得すべきサムネイルを全て取得する。すなわち、表示装置４１がＰ２Ｐ接続されたコンテンツ受信装置は、サムネイル制御部４２０から要求された一つまたは複数のコンテンツのサムネイルを生成し、生成したサムネイルを表示装置４１に送信する。
【０１６３】
サムネイル制御部４２０は、Ｐ２Ｐ接続されたコンテンツ受信装置（例えば、コンテンツ受信装置１０）から、取得すべきサムネイルを全て取得した後、順次、他のコンテンツ受信装置（例えば、コンテンツ受信装置１１、１５）からサムネイルを取得する。また、表示部４５０は、取得されたサムネイルを表示部４５０（図６参照）に表示する。
【０１６４】
コンテンツ制御部４３０（図６、図９参照）は、コンテンツを取得することを要求されたか否かを判定する（ステップＳ２０６）。なお、ステップＳ２０６の判定は、例えば、コンテンツ制御部４３０がコンテンツを取得するための制御信号を受信したか否か、に基づき行われてもよい。
【０１６５】
ステップＳ２０６で、コンテンツの取得を要求されたと判定された場合（ステップＳ２０６のＹｅｓ）、コンテンツ制御部４３０は、Ｐ２Ｐ接続されたコンテンツ受信装置（例えば、コンテンツ受信装置１０）からコンテンツ（ユーザ指定されたコンテンツ）を取得し、コンテンツ再生部４３３（図９参照）は、取得したコンテンツを再生して表示部４５０に表示する（ステップＳ２０７）。ステップＳ２０６で、コンテンツの取得を要求されていないと判定された場合（ステップＳ２０６のＮｏ）、処理はステップＳ２０８に進む。
【０１６６】
通信ＩＦ４６０は、Ｐ２Ｐ接続を終了するか否かを判定する（ステップＳ２０８）。ステップＳ２０８において、通信ＩＦ４６０は、リスト制御部４１０が取得したリストに含まれる全てのコンテンツに関してサムネイルが取得された場合、Ｐ２Ｐ接続を終了する、と判定し、リスト制御部４１０が取得したリストに含まれるコンテンツのうち、サムネイルが取得されていないコンテンツがあれば、Ｐ２Ｐ接続を終了しないと判定する。
【０１６７】
ステップＳ２０８において、通信ＩＦ４６０はＰ２Ｐ接続を終了すると判定した場合（ステップＳ２０８のＹｅｓ）、通信ＩＦ４６０は、Ｐ２Ｐ接続を切断する（ステップＳ２０９）。これにより、図１３のフローチャートに示す一連の処理は終了する。
【０１６８】
ステップＳ２０８において、通信ＩＦ４６０はＰ２Ｐ接続を終了しないと判定した場合（ステップＳ２０８のＮｏ）、処理はステップＳ２０１に戻る。そして、表示装置４１は、未取得のサムネイルを取得するために、処理を継続する。
【０１６９】
なお、表示装置４１は、複数のコンテンツ受信装置のそれぞれとの間で、同時にＰ２Ｐ接続してもよい。すなわち、表示装置４１は、ステップＳ２２１の処理を実行せず、Ｐ２Ｐ接続の切断を行わない、ように動作してもよい。この場合、表示装置４１は、複数のコンテンツ受信装置のそれぞれと同時にＰ２Ｐ接続し、通信が必要なコンテンツ受信装置と、順次通信することができる。
【０１７０】
また、この場合、表示装置４１は、コンテンツ受信装置毎に順次サムネイルを取得してもよく、あるいは、平行して複数のコンテンツ受信装置から同時にサムネイルを取得してもよい。
【０１７１】
［２−３．効果］
以上のように構成された本実施の形態におけるコンテンツ受信システムでは、システムに接続される複数のコンテンツ受信装置は、取得したコンテンツのサムネイルを生成した後、生成したサムネイルを、サーバを経由せず、表示装置に直接送信する。
【０１７２】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１７３】
本実施の形態に一例を示したコンテンツ受信システムでは、表示装置が複数のコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１７４】
（実施の形態の変形例）
ここでは、実施の形態１、２で説明したコンテンツ受信システムの必須の構成要素について説明する。
【０１７５】
図１４は、実施の形態の変形例におけるコンテンツ受信システム３のシステム構成の一例を模式的に示す図である。
【０１７６】
図１４に示すように、コンテンツ受信システム３は、コンテンツ受信装置１０Ａと、サーバ３０Ａと、コンテンツ受信装置１０Ａが取得したコンテンツを表示するための表示装置４０Ａと、を備える。サーバ３０は、情報を中継する中継部３０１Ａを有する。コンテンツ受信装置１０Ａは、コンテンツを受信する第一受信部１０１Ａと、リスト送信部１０３Ａと、第一受信部１０１Ａが受信したコンテンツのサムネイルを生成するサムネイル生成部１０２Ａと、サムネイル生成部１０２Ａが生成したサムネイルを表示装置４０Ａに送信するサムネイル送信部１０４Ａと、を有する。リスト送信部１０３Ａは、第一受信部１０１Ａが受信したコンテンツを示す情報を含むリストを、中継部３０１Ａによる中継を介して表示装置４０Ａに送信する。表示装置４０Ａは、第二受信部４０１Ａと、表示部４０２Ａとを有する。第二受信部４０１Ａは、リスト送信部１０３Ａが送信したリストと、サムネイル送信部１０４Ａが送信したサムネイルと、を受信する。表示部４０２Ａは、第二受信部４０１Ａが受信したリストに含まれる情報に、第二受信部４０１Ａが受信したサムネイルのうち当該情報に対応するコンテンツのサムネイルを対応付けた画像、を表示する。
【０１７７】
これにより、コンテンツ受信装置は、取得したコンテンツのサムネイルを生成した後、生成したサムネイルを、サーバを経由せず、表示装置に直接送信することができる。
【０１７８】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１７９】
本実施の形態に一例を示したコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、本実施の形態に示したコンテンツ受信システムでは、サーバが備える記憶装置の記憶容量の増加を抑制することができ、またサーバを接続する通信回線の通信容量の増大を抑制することができる。
【０１８０】
（まとめ）
以上のように、本開示の実施の形態におけるコンテンツ受信システムは、コンテンツ受信装置と、サーバと、表示装置と、を備える。コンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。表示装置は、第二受信部と、表示部と、を有する。第二受信部は、リスト送信部が送信したリストと、サムネイル送信部が送信したサムネイルと、を受信する。表示部は、第二受信部が受信したリストに含まれる情報に、第二受信部が受信したサムネイルのうち当該情報に対応するコンテンツのサムネイルを対応付けた画像、を表示する。
【０１８１】
なお、コンテンツ受信システム１、２、３は、それぞれがコンテンツ受信システムの一例である。コンテンツ受信装置１０、１１、１５、１０Ａは、それぞれがコンテンツ受信装置の一例である。サーバ３０、３０Ａは、それぞれがサーバの一例である。表示装置４０、４１、４０Ａは、それぞれが表示装置の一例である。コンテンツ受信部１１０および第一受信部１０１Ａは、それぞれが第一受信部の一例である。リスト送信部１３３、１０３Ａは、それぞれがリスト送信部の一例である。サムネイル生成部１４２、１０２Ａは、それぞれがサムネイル生成部の一例である。サムネイル送信部１４３、１０４Ａは、それぞれがサムネイル送信部の一例である。リスト取得部４１２および第二受信部４０１Ａは、それぞれが第二受信部の一例である。表示部４５０、４０２Ａは、それぞれが表示部の一例である。画像１１０１は、表示部に表示される画像の一例である。
【０１８２】
このコンテンツ受信システムでは、コンテンツ受信装置は、取得したコンテンツのサムネイルを生成した後、生成したサムネイルを、サーバを経由せず、表示装置に直接送信する。
【０１８３】
仮に、サムネイルを、サーバが保持しサーバから表示装置へ供給するとすれば、サーバは、サムネイルを保存するために必要な記憶容量を備えた記憶装置を備えなければならない。また、コンテンツ受信装置からサーバへサムネイルを送信し、かつサーバから表示装置へサムネイルを送信することができる通信容量を備えた通信回線が必要となる。そして、サーバに接続されたコンテンツ受信装置の数が増えるほど、サムネイルを保存するのに必要な記憶装置の記憶容量は増大し、また、サムネイルの送受信に必要な通信回線の通信容量は増大する。
【０１８４】
このコンテンツ受信システムでは、表示装置がコンテンツ受信装置からサムネイルを取得する一連の処理の中で、サーバはサムネイルを保存しなくてもよい。したがって、サーバに、サムネイルを保存するための記憶容量の大きい記憶装置を備えなくてもよい。また、サーバを接続する通信回線に、サムネイルの送受信に必要な通信容量の大きい通信回線を用いなくてもよい。したがって、このコンテンツ受信システムでは、サーバが備える記憶装置の記憶容量の増加を抑制することができ、またサーバを接続する通信回線の通信容量の増大を抑制することができる。
【０１８５】
このコンテンツ受信システムにおいて、サムネイル生成部は、表示装置からの要求に基づきサムネイルを生成し、サムネイル送信部は、その要求に基づきサムネイルを表示装置に送信してもよい。
【０１８６】
この構成では、コンテンツ受信装置は、表示装置から要求があった場合に、サムネイルを生成して表示装置に送信するように動作する。したがって、コンテンツ受信装置は、表示装置から要求がない場合はサムネイルを生成しないので、コンテンツ受信装置で実行すべき処理の量を低減することができる。
【０１８７】
また、このコンテンツ受信システムにおいて、コンテンツ受信装置は、リストに含まれるコンテンツのうち、ユーザにより選択されたコンテンツを特定する情報を表示装置から受信したときに、表示部が表示することができる形式に、選択されたコンテンツをエンコードし、エンコードした後のコンテンツを表示装置に送信するコンテンツ送信部、を備えていてもよい。
【０１８８】
なお、コンテンツ送信部１５３はコンテンツ送信部の一例である。
【０１８９】
この構成では、コンテンツ受信装置は、表示装置に表示したサムネイルに基づいてユーザが選択したコンテンツを表示装置に送信するように動作する。その際、表示装置からの要求に基づいて、コンテンツを適切にエンコードするので、表示装置はそのコンテンツを適切に表示することができる。
【０１９０】
また、このコンテンツ受信システムにおいて、コンテンツ受信システムは、複数のコンテンツ受信装置を備えていてもよい。表示装置は、サムネイルの取得要求を複数のコンテンツ受信装置のそれぞれに送信する取得要求送信部を備えていてもよい。第二受信部は、コンテンツ受信装置毎に、順次、そのコンテンツ受信装置のサムネイル送信部が送信したサムネイルを受信してもよい。
【０１９１】
なお、サムネイル要求送信部４２１は取得要求送信部の一例である。
【０１９２】
この構成では、表示装置は、複数のコンテンツ受信装置が保有するコンテンツを含めたリストを表示することができる。そして、ユーザが表示装置に表示されたリストを閲覧してコンテンツを選択すれば、ユーザが選択したコンテンツを保有するコンテンツ受信装置から表示装置にそのコンテンツが送信され、そのコンテンツは表示装置上で再生される。これにより、ユーザは、表示装置上で選択したコンテンツを表示装置上で視聴することができる。
【０１９３】
また、このコンテンツ受信システムにおいて、サムネイル生成部は、コンテンツに含まれる複数の画像フレームのうちの一部を抽出し、抽出した画像フレームを用いて動画ファイル形式のサムネイルを生成してもよい。
【０１９４】
この構成では、コンテンツ受信装置は、動画ファイル形式のサムネイルを生成し表示装置に送信することができる。これにより、ユーザは、そのサムネイルにより、静止画のサムネイルよりも容易に、サムネイルが示すコンテンツの内容を知ることができる。
【０１９５】
また、このコンテンツ受信システムにおいて、コンテンツ受信装置は、放送波を受信するためのチューナを備えていてもよい。第一受信部は、チューナにより放送波を受信し、受信した放送波に含まれる放送コンテンツをコンテンツとして受信してもよい。
【０１９６】
なお、コンテンツ受信部１１０が備えるチューナ（図示せず）は、チューナの一例である。
【０１９７】
この構成では、コンテンツ受信装置は、放送波からコンテンツを取得してサムネイルを生成することができる。ユーザは、生成されたサムネイルにより、放送波からコンテンツ受信装置が取得したコンテンツが何かを知ることができる。そして、そのコンテンツを表示装置上で視聴することができる。
【０１９８】
また、このコンテンツ受信システムにおいて、コンテンツ受信装置は、記憶部を備えていてもよい。第一受信部は、受信した放送波に含まれる放送コンテンツを記憶部に保存し、記憶部に保存された放送コンテンツをコンテンツとして取得してもよい。
【０１９９】
なお、記憶部１２０は記憶部の一例である。
【０２００】
この構成では、コンテンツ受信装置は、放送波から取得して記憶部に保存したコンテンツを、記憶部から読み出して取得し、そのコンテンツのサムネイルを生成することができる。ユーザは、生成されたサムネイルにより、コンテンツ受信装置の記憶部に保存されたコンテンツが何かを知ることができる。そして、そのコンテンツを表示装置上で視聴することができる。
【０２０１】
また、このコンテンツ受信システムにおいて、表示装置とコンテンツ受信装置とは、Ｐ２Ｐ（Ｐｅｅｒ  ｔｏ  Ｐｅｅｒ）型の通信接続を行ってもよく、サムネイル送信部は、Ｐ２Ｐ型の通信接続を用いてサムネイルを表示装置に送信してもよい。
【０２０２】
この構成では、表示装置は、Ｐ２Ｐ通信によりコンテンツ受信装置からサムネイルを取得することができる。すなわち、表示装置は、コンテンツ受信装置から、他の通信装置を中継せずに、サムネイルを取得することができる。
【０２０３】
また、このコンテンツ受信システムにおいて、サムネイル生成部は、サムネイル生成部が生成したサムネイルを記憶するサムネイル記憶部を備えていてもよい。サムネイル生成部は、第一受信部が受信したコンテンツのサムネイルを生成する前に、そのサムネイルがサムネイル記憶部に記憶されているか否かを判定し、そのサムネイルがサムネイル記憶部に記憶されていれば、当該サムネイルを生成せず、サムネイル記憶部からそのサムネイルを読み出して用いてもよい。
【０２０４】
なお、サムネイル記憶部１４２Ａはサムネイル記憶部の一例である。
【０２０５】
この構成では、コンテンツ受信装置は、過去に生成したサムネイルがサムネイル記憶部に記憶されていれば、サムネイルを生成する処理に代えて、サムネイル記憶部に記憶されているサムネイルを読み出す処理を行うことができる。したがって、コンテンツ受信装置は、サムネイル記憶部に記憶されているサムネイルに関しては、そのサムネイルを生成する必要がないので、コンテンツ受信装置で実行すべき処理の量を低減することができる。
【０２０６】
また、本開示の実施の形態におけるコンテンツ受信装置は、コンテンツを受信する第一受信部と、リスト送信部と、サムネイル生成部と、サムネイル送信部と、を有する。リスト送信部は、第一受信部が受信したコンテンツを示す情報を含むリストを、サーバを経由して表示装置に送信する。サムネイル生成部は、第一受信部が受信したコンテンツのサムネイルを生成する。サムネイル送信部は、サムネイル生成部が生成したサムネイルを表示装置に送信する。
【０２０７】
このコンテンツ受信装置を含んだコンテンツ受信システムでは、上記のコンテンツ受信システムと同様の効果を得ることができる。
【０２０８】
また、本開示の実施の形態における表示装置は、第二受信部と、表示部と、を有する。第二受信部は、コンテンツ受信装置から送信されるリストおよびサムネイルを受信する。表示部は、第二受信部が受信したリストに含まれる情報に、第二受信部が受信したサムネイルのうち当該情報に対応するコンテンツのサムネイルを対応付けた画像、を表示する。
【０２０９】
この表示装置を含んだコンテンツ受信システムでは、上記のコンテンツ受信システムと同様の効果を得ることができる。
【０２１０】
また、本開示の実施の形態におけるコンテンツ受信システムの制御方法は、コンテンツ受信装置と、サーバと、表示装置と、を備えるコンテンツ受信システムの制御方法である。この制御方法は、コンテンツ受信装置が、コンテンツを受信する第一受信ステップと、コンテンツ受信装置が、第一受信ステップで受信したコンテンツを示す情報を含むリストを、サーバを経由して表示装置に送信するリスト送信ステップと、コンテンツ受信装置が、第一受信ステップで受信したコンテンツのサムネイルを生成するサムネイル生成ステップと、コンテンツ受信装置が、サムネイル生成ステップで生成したサムネイルを表示装置に送信するサムネイル送信ステップと、表示装置が、リスト送信ステップで送信されたリストおよびサムネイル送信ステップで送信されたサムネイルを受信する第二受信ステップと、表示装置が、第二受信ステップで受信したリストに含まれる情報に、第二受信ステップで受信したサムネイルのうち当該情報に対応するコンテンツのサムネイルを対応付けた画像、を表示部に表示する表示ステップと、を含む。
【０２１１】
この制御方法により動作するコンテンツ受信システムは、上記のコンテンツ受信システムと同様の効果を得ることができる。
【０２１２】
また、本開示の実施の形態におけるプログラムは、上記の制御方法をコンピュータに実行させるためのプログラムである。
【０２１３】
以上のように、本出願において開示する技術の例示として、実施の形態１、２、および変形例を説明した。そのために、添付図面および詳細な説明を提供した。しかしながら、本開示における技術は、これに限定されず、変更、置き換え、付加、省略等を行った実施の形態にも適用できる。また、上記実施の形態で説明した各構成要素を組み合わせて、新たな実施の形態とすることも可能である。
【０２１４】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２１５】
また、上述の実施の形態は、本開示における技術を例示するためのものであるから、請求の範囲またはその均等の範囲において種々の変更、置き換え、付加、省略などを行うことができる。
【産業上の利用可能性】
【０２１６】
本開示は、コンテンツのサムネイルを表示装置に提供するコンテンツ受信システムに適用可能である。具体的には、各種記録メディアにコンテンツを記憶する録画装置、テレビジョン受像機、スマートフォン、携帯電話、タブレット端末、パーソナルコンピュータ、サーバコンピュータ、等に本開示は適用可能である。
【符号の説明】
【０２１７】
１，２，３    コンテンツ受信システム
１０，１０Ａ，１１，１５    コンテンツ受信装置
２０，２５    通信装置
３０，３０Ａ    サーバ
４０，４０Ａ，４１    表示装置
５０    ネットワーク
１０１Ａ    第一受信部
１０２Ａ，１４２    サムネイル生成部
１０３Ａ，１３３    リスト送信部
１０４Ａ，１４３    サムネイル送信部
１１０    コンテンツ受信部
１２０    記憶部
１３０，４１０    リスト制御部
１３１    リスト要求受信部
１３２    リスト生成部
１４０，４２０    サムネイル制御部
１４１    サムネイル要求受信部
１４２Ａ，４２５    サムネイル記憶部
１５０，４３０    コンテンツ制御部
１５１    コンテンツ要求受信部
１５２    コンテンツ変換部
１５３    コンテンツ送信部
１６０，４６０    通信ＩＦ
３０１Ａ    中継部
４０１Ａ    第二受信部
４０２Ａ，４５０    表示部
４１１    リスト要求送信部
４１２    リスト取得部
４１３    リスト表示制御部
４２１    サムネイル要求送信部
４２２    サムネイル受信部
４２３    サムネイル表示指示部
４３１    コンテンツ要求送信部
４３２    コンテンツ取得部
４３３    コンテンツ再生部
４４０    設定部
１１０１    画像
１１０２，１１０３    部分
【図１】
2016051802.tif 000003
【図２】
2016051802.tif 000004
【図３】
2016051802.tif 000005
【図４】
2016051802.tif 000006
【図５】
2016051802.tif 000007
【図６】
2016051802.tif 000008
【図７】
2016051802.tif 000009
【図８】
2016051802.tif 000010
【図９】
2016051802.tif 000011
【図１０】
2016051802.tif 000012
【図１１】
2016051802.tif 000013
【図１２】
2016051802.tif 000014
【図１３】
2016051802.tif 000015
【図１４】
2016051802.tif 000016
【国際調査報告】
2016051802.tif 000017
2016051802.tif 000018